(57)【特許請求の範囲】
【請求項１】
第１及び第２筐体と、
前記第１筐体に固定され前記第１筐体のグランドに接続され導電性を有した金属製の固定板と、
前記第２筐体に固定され導電性を有した金属製のスライド板と、を備え、
前記固定板は、前記スライド板の辺をスライド可能に掴むように保持した保持部を有し、
前記保持部は、前記スライド板上をスライドする第１ストッパを有し、
前記スライド板には、前記第１ストッパに当接して前記スライドの範囲の一端を規定し前記スライド板と導通した第２ストッパが前記スライド板からはみ出すことなく設けられている、携帯装置。
【請求項２】
前記スライド板に固定され、導電性を有し、前記第１ストッパと当接することにより前記スライド範囲の他端を規定する第３ストッパを備えた請求項１の携帯装置。
【請求項３】
前記第２筐体内に設けられたアンテナを備えている、請求項１又は２の携帯装置。
【請求項４】
前記第１ストッパは、前記第１筐体に収納されたプリント基板のグランド層に導通接続されている、請求項１乃至３の何れかの携帯装置。
【請求項５】
前記第１ストッパは、一対設けられており、
前記第２ストッパは、一対の前記第１ストッパにそれぞれ対応するように一対設けられている、請求項１乃至４の何れかの携帯装置。
【請求項６】
前記第１筐体は、前記スライドに応じて露出状態が変化する操作部を有している、請求項１乃至５の何れかの携帯装置。
【請求項７】
前記第２筐体は、前記スライドによらずに露出している表示部を有している、請求項１乃至６の何れかの携帯装置。
【発明の詳細な説明】
【技術分野】
【０００１】
本発明は、携帯装置に関する。
【背景技術】
【０００２】
第１筐体、第１筐体に対して所定のスライド範囲をスライド可能に連結された第２筺体、を有した携帯装置が知られている。このような携帯装置には、スライドの範囲を画定するためにストッパが設けられている。また、このような携帯装置には、第１筺体のグランドと第２筺体のグランドとを接続するために、第２筺体がスライド範囲の一端及び他端にある時に、第１及び第２筺体のグランドを互いに導通接続するための導電部材が設けられる。
【先行技術文献】
【特許文献】
【０００３】
【特許文献１】特開平９−１３４２２８号公報
【特許文献２】特開２０１０−０８７９８６号公報
【発明の概要】
【発明が解決しようとする課題】
【０００４】
上述したストッパと導電部材とは個別に設けられるので部品点数が増加している。
【０００５】
本発明は、部品点数の増大が抑制された携帯装置を提供することを目的とする。
【課題を解決するための手段】
【０００６】
本明細書に開示の携帯装置は、第１筐体と、前記第１筐体に対して所定のスライド範囲をスライド可能に連結された第２筐体と、前記スライド範囲の途中位置から前記スライド範囲の一端側に前記第２筐体を付勢する付勢部材と、前記第１筐体側に設けられ、前記第１筐体のグランドに接続され、導電性を有した第１ストッパと、前記第２筐体側に設けられ、導電性を有し、前記第１ストッパに当接して前記スライド範囲の前記一端を規定する第２ストッパと、を備えている。
【発明の効果】
【０００７】
部品点数の増大が抑制された携帯装置を提供できる。
【図面の簡単な説明】
【０００８】
【図１】図１Ａ、１Ｂは、本実施例の携帯電話の説明図である。
【図２】図２Ａ、２Ｂは、本実施例の携帯電話の説明図である。
【図３】図３は、携帯電話の分解斜視図である。
【図４】図４Ａ、４Ｂは、携帯電話が閉状態での固定板、スライド板の説明図である。
【図５】図５Ａ、５Ｂは、携帯電話が開状態での固定板、スライド板の説明図である。
【発明を実施するための形態】
【０００９】
携帯電話を携帯装置の一例として説明する。図１Ａ〜２Ｂは、本実施例の携帯電話の説明図である。携帯電話１は、筐体１０、２０を有している。筐体１０、２０は、互いにスライド可能に連結されている。換言すれば、筐体１０、２０は、重畳され、開閉可能に連結されている。筐体１０は、第１筐体の一例であり、筐体２０は、第１筐体に対して所定のスライド範囲をスライド可能に連結されている第２筺体の一例である。図１Ａ、１Ｂは、閉じた閉状態の携帯電話１を示し、図２Ａ、２Ｂは、開いた開状態の携帯電話１を示している。図１Ａ、２Ａは、携帯電話１の正面図である。図１Ｂは、携帯電話１を下方から見た図である。図２Ｂは、携帯電話１を横から見た図である。
【００１０】
筐体１０は、正面１１、背面１２を有している。筐体２０は、正面２１、背面２２を有している。閉状態では、筐体１０の正面１１と筺体２０の背面２２とが対向する。開状態、つまり筐体２０が筐体１０に対してスライドした状態では、筐体１０の正面１１が露出する。筐体１０の正面１１には、携帯電話１を操作するためのキーボードＫ、トラックボールＢが設けられている。キーボードＫ、トラックボールＢは、携帯電話１を操作するためのものである。キーボードＫ、トラックボールＢは、筐体１０に対する筐体２０のスライドに応じて露出状態が変化する操作部の一例である。筐体２０の正面２１には、操作に応じて所望の画像を表示するディスプレイユニットＤＵが設けられている。ディスプレイユニットＤＵは、筐体１０に対する筐体２０のスライドによらずに露出した表示部の一例である。尚、図１Ｂに示すように、筐体１０の下側の側面には、後述するコネクタＣＮを露出するカバー１８が設けられている。
【００１１】
図３は、携帯電話１の分解斜視図である。図３に示すように、筐体１０は、筐体１０の正面側を画定するフロントケース１０Ｆ、筐体１０の背面側を画定するリアケース１０Ｒ、を有している。フロントケース１０Ｆ、リアケース１０Ｒの間には、プリント基板１０Ｐ、トラックボールＢが収納されている。トラックボールＢは、フロントケース１０Ｆの正面１１に形成され開口部ＯＰ１から操作可能に露出される。プリント基板１０Ｐには、コネクタＣＮが実装されている。コネクタＣＮは、例えば携帯電話１を充電する充電器に接続可能である。
【００１２】
筐体２０は、筐体２０の正面側を画定するフロントケース２０Ｆ、筐体２０の背面側を画定するリアケース２０Ｒ、を有している。フロントケース２０Ｆ、リアケース２０Ｒの間には、プリント基板２０Ｐが収納される。プリント基板１０Ｐ、２０Ｐは、それぞれグランド層を有している。フロントケース２０Ｆの内面側には、無線通信するためのアンテナＡＮＴが固定されている。アンテナＡＮＴは、金属製の薄板状の部材である。アンテナＡＮＴは、プリント基板２０Ｐに形成された給電パターンに接続される。フロントケース１０Ｆと対向するプリント基板１０Ｐの面には、プリント基板１０Ｐのグランド層に導通接続した端子部Ｔ１１〜Ｔ１５が設けられている。同様に、リアケース２０Ｒと対向するプリント基板２０Ｐの面には、プリント基板２０Ｐのグランド層に導通接続した端子部Ｔ２１〜Ｔ２３が設けられている。
【００１３】
筐体１０の正面１１側には、固定板５０が固定される。また、筐体２０の背面２２側にはスライド板６０が固定されている。固定板５０、スライド板６０は、略平板状である。スライド板６０は、筐体２０の背面２２と略同等の面積を有している。固定板５０は、携帯電話１が開状態の場合でも筐体１０、２０により隠蔽される程度の大きさを有している。従って、固定板５０はスライド板６０よりも小さい。スライド板６０は、固定板５０に対して所定のスライド範囲をスライド可能に連結されている。これにより、筐体２０は筐体１０に対して所定のスライド範囲をスライド可能に連結される。従って、固定板５０、スライド板６０は、筐体１０、２０をスライド可能に連結する機能を有している。固定板５０、スライド板６０は、導電性を有した金属製である。
【００１４】
フロントケース１０ＦのキーボードＫの上部には、金属板３０ａ、３０ｂが配置されている。金属板３０ａと、金属板３０ｂとの間には、開口部ＯＰ２が形成されている。この開口部ＯＰ２に固定板５０の一部が嵌合して、固定板５０は金属板３０ａ、３０ｂに接続される。固定板５０は、金属板３０ａ、３０ｂに重なるようにして固定される。金属板３０ａ、３０ｂは導電性を有した金属製である。図２Ｂに示すように、固定板５０、金属板３０ａ、３０ｂは、開状態の場合であっても筐体１０、２０に隠蔽される。
【００１５】
端子部Ｔ１１、Ｔ１２は、金属板３０ｂに接続される。端子部Ｔ１３は、金属板３０ａに接続される。また、端子部Ｔ１４、１５は、フロントケース１０Ｆの裏側に配置された金属板と接続している。この金属板と金属板３０ａに接続されている。また、上述したように、固定板５０は、金属板３０ａ、３０ｂに固定される。これにより、プリント基板１０Ｐのグランド層と固定板５０とは導通接続される。また、端子部Ｔ２１〜Ｔ２３は、リアケース２０Ｒに形成された開口部ＯＰ２１〜２３を介してスライド板６０に導通接続される。これにより、プリント基板２０Ｐのグランド層とスライド板６０とは導通接続される。
【００１６】
固定板５０、スライド板６０について詳細に説明する。図４Ａ、４Ｂは、携帯電話１が閉状態での固定板５０、スライド板６０の説明図である。図５Ａ、５Ｂは、携帯電話１が開状態での固定板５０、スライド板６０の説明図である。図４Ａ、５Ａは、スライド板６０側から固定板５０、スライド板６０を見た斜視図であり、図４Ｂ、５Ｂは、固定板５０側から固定板５０、スライド板６０を見た斜視図である。
【００１７】
スライド板６０は、第１面６１、第２面６２を有している。第１面６１が筐体２０の背面２２に固定される。第２面６２に固定板５０が連結されている。固定板５０は、第１面５１、第２面５２を有している、第１面５１は、スライド板６０の第２面６２に対向している。第２面５２は、フロントケース１０Ｆ側に固定される。
【００１８】
スライド板６０の互いに対向する短辺には、それぞれスライド部６５ａ、６５ｂが形成されている。固定板５０の両端部には、スライド板６０のスライド部６５ａ、６５ｂをそれぞれ掴むようにして保持した保持部５５ａ、５５ｂが形成されている。保持部５５ａ、５５ｂの先端には、それぞれストッパ部５７ａ、５７ｂが形成されている。保持部５５ａ、５５ｂは、スライド部６５ａ、６５ｂがスライド可能に連結されている。これにより、固定板５０に対してスライド板６０は、スライド板６０の短辺に沿った方向にスライドする。
【００１９】
スライド板６０の第１面６１側の角部には、それぞれストッパ６７ａ〜６７ｄが設けられている。ストッパ６７ａ、６７ｃは、スライド部６５ａの端部にそれぞれ設けられている。ストッパ６７ｂ、６７ｄは、スライド部６５ｂの端部にそれぞれ設けられている。ストッパ６７ａ〜６７ｄは、ネジによりスライド板６０に固定されている。
【００２０】
ストッパ部５７ａ、５７ｂは、導電性を有して固定板５０に設けられており、固定板５０や端子部Ｔ１１等介してプリント基板１０Ｐのグランド層に導通接続される。従って、ストッパ部５７ａ、５７ｂは、第１ストッパの一例である。また、ストッパ６７ａ〜６７ｄは、導電性を有しスライド板６０に設けられており、端子部Ｔ２１〜Ｔ２３やスライド板６０を介してプリント基板２０Ｐのグランド層に導通接続される。また、ストッパ６７ａ、６７ｂは、後述するがストッパ部５７ａ、５７ｂとの当接によりスライド範囲の一端を規定する。このため、ストッパ６７ａ、６７ｂは、第２ストッパの一例である。一方、ストッパ６７ｃ、６７ｄは、後述するがストッパ部５７ａ、５７ｂとの当接によりスライド範囲の他端を規定する。このため、ストッパ６７ｃ、６７ｄは、第３ストッパの一例である。
【００２１】
図４Ｂに示すように、固定板５０の第２面５２には、複数のネジ孔５４が形成されている。ネジ孔５４は、固定板５０を金属板３０ａ、３０ｂに固定するためのネジが係合する。固定板５０の中央部は隆起している。この隆起した部分が、図３に示したフロントケース１０Ｆの開口部ＯＰ２に嵌合する。スライド板６０の第２面６２側には２つの付勢部材８０が設けられている。付勢部材８０の一端は固定板５０に連結され、付勢部材８０の他端はスライド板６０に連結されている。具体的には、スライド板６０の第２面６２側にはピン部６８が形成され、付勢部材８０の他端がピン部６８に連結されている。付勢部材８０は、スライド板６０をスライド範囲の途中からスライド範囲の一端側又は他端側に付勢する機能を有している。付勢部材８０は、トーションバネであるが、これに限定されない。尚、図４においては、付勢部材８０の詳細な形状は省略してある。
【００２２】
閉状態の場合には、付勢部材８０の付勢力により、ストッパ６７ａ、６７ｂのそれぞれとストッパ部５７ａ、５７ｂとの当接が維持される。これにより、固定板５０とスライド板６０とが導通接続される。また、ストッパ部５７ａ、５７ｂがそれぞれストッパ６７ａ、６７ｂに当接することにより、固定板５０に対するスライド板６０のスライド範囲の一端が規定される。
【００２３】
閉状態から開状態に移行させる場合、付勢部材８０の付勢力に抗して筐体１０に対して筐体２０はスライド操作される。そのように操作されると、付勢部材８０は、スライド範囲の一端から途中位置まで閉状態に戻るように筐体２０を付勢し、スライド範囲の途中位置から他端まで開状態に移行するように筐体２０を付勢する。このように、付勢部材８０は、スライド範囲の途中位置でスライド板６０を付勢する方向が切り替わる。
【００２４】
閉状態から筐体２０がスライド操作されると、ストッパ部５７ａ、５７ｂは、それぞれストッパ６７ａ、６７ｂから離間する。固定板５０の保持部５５ａ、５５ｂは、それぞれスライド板６０のスライド部６５ａ、６５ｂ上をスライドする。固定板５０がスライド範囲の途中位置までくると、付勢部材８０がスライド板６０を付勢する方向が切り替わって、スライド板６０が開状態となるように付勢する。この付勢部材８０の付勢力に従って、保持部５５ａ、５５ｂは、それぞれストッパ６７ｃ、６７ｄに接近して、図５Ａに示すように、ストッパ部５７ａ、５７ｂは、それぞれストッパ６７ｃ、６７ｄに当接する。尚、図４Ｂ、５Ｂに示すように、付勢部材８０は、固定板５０又はスライド板６０に干渉しないように、固定板５０とスライド板６０との間に配置されている。
【００２５】
図５Ａに示す開状態においても、ストッパ部５７ａ、５７ｂのそれぞれとストッパ６７ｃ、６７ｄとの当接は、付勢部材８０の付勢力により維持される。これにより、固定板５０とスライド板６０との導通接続が確保される。また、ストッパ部５７ａ、５７ｂがそれぞれストッパ６７ｃ、６７ｄと当接することにより、固定板５０に対するスライド板６０のスライド範囲の他端が規定される。
【００２６】
このように、ストッパ部５７ａ、５７ｂとストッパ６７ａ〜６７ｄとにより、筐体１０に対する筐体２０のスライド範囲が規定される。また、上述したように、ストッパ部５７ａ、５７ｂ、ストッパ６７ａ〜６７ｄは、導電性を有する。これにより、ストッパ部５７ａ、５７ｂは、筐体１０に収納されたプリント基板１０Ｐのグランド層に導通接続しており、ストッパ６７ａ〜６７ｄは、筐体２０に収納されたプリント基板２０Ｐのグランド層に導通接続している。このため、ストッパ部５７ａ又はストッパ部５７ｂが、ストッパ６７ａ〜６７ｄの何れかに当接することにより、プリント基板１０Ｐ、２０Ｐのそれぞれのグランド層とが導通接続されることになる。詳細には、ストッパ６７ａ〜６７ｄは、スライド範囲を画定する機能を有しているので、開状態及び閉状態でプリント基板１０Ｐ、２０Ｐのそれぞれのグランド層が互いに導通接続されることになる。
【００２７】
このように、ストッパ部５７ａ、５７ｂ、ストッパ６７ａ〜６７ｄは、筐体１０に対する筐体２０のスライド範囲を画定するのに対し、筐体１０のグランドと筐体２０のグランドとを接続する機能を有している。このため、スライド範囲を画定するためのストッパと、筐体１０、２０のグランドを接続するための導電部材とを個別に設ける場合と比べて、本実施例の携帯電話１は、部品点数が削減されている。
【００２８】
また、付勢部材８０の付勢方向を利用して、ストッパ部５７ａ、５７ｂとストッパ６７ａ〜６７ｄの当接が維持される。ここで、付勢部材８０は、上述したように、筐体１０に対する筐体２０のスライドをアシストする機能を有しているので、付勢部材８０の付勢力は比較的大きいものである。このため、ストッパ部５７ａ、５７ｂとストッパ６７ａ〜６７ｄとの当接は確実に維持され、両者の導通性が向上する。これにより、プリント基板１０Ｐのグランド層や金属板３０ａ、３０ｂ、固定板５０の電位と、プリント基板２０Ｐのグランド層やスライド板６０での電位との差は抑制される。
【００２９】
また、上述したように筐体２０側には無線通信を行なうためのアンテナＡＮＴが設けられている。このため、筐体１０側に設けられたプリント基板１０Ｐのグランド層等の電位と、筐体２０側に設けられたプリント基板２０Ｐのグランド層等の電位との差が大きいと、アンテナＡＮＴを用いた無線通信に影響を与えるおそれがある。本実施例の場合には、付勢部材８０の付勢力によりストッパ部５７ａ、５７ｂとストッパ６７ａ〜６７ｄは確実に当接され、上記のような問題の発生は抑制される。
【００３０】
また、互いに当接し得るストッパ部５７ａ、５７ｂとストッパ６７ａ〜６７ｄとは、金属製であるため、耐久性が向上している。
【００３１】
尚、ストッパ６７ａ〜６７ｄの全てが導電性を有している必要はない。例えば、ストッパ６７ａ、６７ｂのみが導電性を有し、ストッパ６７ｃ、６７ｄは導電性を有していない材料（例えば合成樹脂）により形成されていてもよい。この場合、携帯電話１が閉状態の場合にのみ、プリント基板１０Ｐ、２０Ｐの各グランド層が導通接続されることになる。また、ストッパ６７ｃ、６７ｄのみが導電性を有し、ストッパ６７ａ、６７ｂは導電性を有していない材料により形成されていてもよい。この場合、携帯電話１が開状態の場合にのみ、プリント基板１０Ｐ、２０Ｐのグランド層が接続されることになる。例えばこの場合には、プリント基板１０Ｐ、２０Ｐの何れかのグランド層の電位を検出してこの電位の変化から、携帯電話１が開状態であるのか閉状態であるのかを判定することができる。
【００３２】
また、ストッパ６７ａ、６７ｂの一方のみが導電性を有していてもよい。また、ストッパ６７ｃ、６７ｄの一方のみが導電性を有していてもよい。
【００３３】
以上本発明の好ましい一実施形態について詳述したが、本発明は係る特定の実施形態に限定されるものではなく、特許請求の範囲に記載された本発明の要旨の範囲内において、種々の変形・変更が可能である。
【００３４】
上記実施例においては、携帯装置の一例として携帯電話を例に説明した。しかしながら、携帯装置は、スライド可能に連結された２つの筐体を有していればよく、コンピュータ、電子辞書、ＰＤＡ、ゲーム機等であってもよい。
【符号の説明】
【００３５】
１  携帯電話
１０、２０  筐体
１０Ｆ、２０Ｆ  フロントケース
１０Ｒ、２０Ｒ  リアケース
１０Ｐ、２０Ｐ  プリント基板
３０ａ、３０ｂ  金属板
５０  固定板
５５ａ、５５ｂ  保持部
５７ａ、５７ｂ  ストッパ部
６０  スライド板
６５ａ、６５ｂ  スライド部
６７ａ〜６７ｄ  ストッパ
Ｔ１１〜Ｔ１５、Ｔ２１〜Ｔ２３  端子部
ＤＵ  ディスプレイユニット
ＡＮＴ  アンテナ
【図１】
0005699685.tif 000002
【図２】
0005699685.tif 000003
【図３】
0005699685.tif 000004
【図４】
0005699685.tif 000005
【図５】
0005699685.tif 000006